(57)【要約】【課題】  照明部を充電する場合に、充電部に対する照明部の方向を気にすることなく、簡単に照明部を充電することのできる照明装置を提供する。【解決手段】  少なくとも下側方向に膨出する凸部１ａを有した本体１と、凸部１ａ内に収納される重量部２と、本体１内部に収納される発光部３と、凸部１ａと係合する凹部４ａを有した充電部４と、本体１内部に収納されるとともに充電部４からの電力を蓄電する蓄電部５と、平面視にて凹部４ａの面積よりも大きいものであって本体の凸部１ａよりも上側部分に覆設されるカバー部６と、を備えている。【選択図】図１
2005235599.tif 000002
【特許請求の範囲】
【請求項１】
少なくとも下側方向に膨出する凸部を有した本体と、凸部内に収納される重量部と、本体内部に収納される発光部と、凸部と係合する凹部を有した充電部と、本体内部に収納されるとともに充電部からの電力を蓄電する蓄電部と、平面視にて凹部の面積よりも大きいものであって本体の凸部よりも上側部分に覆設されるカバー部と、を備えたことを特徴とする照明装置。
【請求項２】
凸部は、断面視にて略卵形であることを特徴とする請求項１に記載の照明装置。
【請求項３】
充電部が重量部として兼用されていることを特徴とする請求項１又は２に記載の照明装置。
【発明の詳細な説明】
【技術分野】
【０００１】
本発明は、照明本体を充電器から取り外すことができる照明装置に関する。
【背景技術】
【０００２】
この種の従来例として、実開平６−５００７号公報に記載のものが挙げられる。この電池ローソクは、図６に示すように、擬似ローソクＪ１と充電機能付き置き台Ｊ２とから構成されている。そして、スイッチ機構Ｊ３４などを設け、擬似ローソクＪ１を置き台Ｊ２の差し込み口部Ｊ２０内に差し込むと擬似ローソクＪ１が消灯されるとともに、内蔵電池が自動的に充電されるようにしたので、十分な電池の電圧を確保して従来の電池式ローソクに比して安定した明るさの擬似ローソクを得ることができ、しかも長い年月にわたってかわらず使用できる。
【０００３】
また、この充電式電池ローソクでは、擬似ローソク１を置き台２の差し込み口部Ｊ２０から引き抜くと、スイッチ機構Ｊ３４などによって充電が停止されて自動的に擬似ローソクＪ１が点灯するようにしたので、非常に簡単に使用できる。
【０００４】
さらに、この充電式電池ローソクでは、擬似ローソクＪ１の置き台差し込み口部Ｊ２０への差し込み及び引き抜きによってスイッチ機構Ｊ３４などの切り替えを行うようにしたので、スイッチ操作を行うことなく、擬似ローソクＪ１の内蔵電池の充電停止及び擬似ローソクＪ１の点灯消灯を行うことができる。その結果、電気的知識の乏しい老人、あるいは手足の少し不自由な老人にも簡単に取り扱うことが可能となる。
【特許文献１】実開平６−５００７号公報（図１）
【発明の開示】
【発明が解決しようとする課題】
【０００５】
ところが、このような電池ローソクの擬似ローソクＪ１を充電する場合には、擬似ローソクＪ１を差し込み口部Ｊ２０の円筒状の軸方向に沿って挿入しなければならない。このため使用者は、擬似ローソクＪ１を充電する場合に、いちいち挿入方向を気にしなければならず、ときに煩わしく感じることがある。
【０００６】
本発明は、上記問題点に鑑みてなしたものであり、その目的とするところは、照明部を充電する場合に、充電部に対する照明部の方向を気にすることなく、簡単に照明部を充電することのできる照明装置を提供することにある。
【課題を解決するための手段】
【０００７】
請求項１に記載の照明装置においては、少なくとも下側方向に膨出する凸部を有した本体と、凸部内に収納される重量部と、本体内部に収納される発光部と、凸部と係合する凹部を有した充電部と、本体内部に収納されるとともに充電部からの電力を蓄電する蓄電部と、平面視にて凹部の面積よりも大きいものであって本体の凸部よりも上側部分に覆設されるカバー部と、を備えており、本体を充電部に装着しようとして凸部と凹部とが係合する際に、カバー部に外側と凹部とが接触固定される。
【０００８】
請求項２に記載の照明装置においては、凸部は、断面視にて略卵形であり、また、本体の重心が下方にあることになるので、本体を平面上に倒して配置した場合でも、本体は重量部の自重によって自動的に平面に対して略垂直に起き上がる。
【０００９】
請求項３に記載の照明装置においては、充電部が重量部として兼用されており、照明装置全体がコンパクトになる。
【発明の効果】
【００１０】
以上、請求項１に記載の照明装置においては、本体を充電部に装着しようとして凸部と凹部とが係合する際に、カバー部に外側と凹部とが自動的に接触固定するので、本体の方向性を気にすることなく、本体を充電部に装着に装着することができる。
【００１１】
また、請求項２に記載の照明装置においては、本体の凸部は、断面視にて略卵形であり、かつ、本体の重心が下方にあるので、本体を平面上に倒して配置した場合でも、本体は重量部の自重によって自動的に平面に対して略垂直に起き上がる。
【００１２】
さらに、請求項３に記載の照明装置においては、充電部が重量部として兼用されているので、照明装置全体をコンパクトにすることができる。
【発明を実施するための最良の形態】
【００１３】
以下、本発明の実施の形態を図１から図５までを参照して説明する。図１は本実施の形態の外観図を示しており、図２は本実施の形態の電気配線図を示している。また、図３（ａ）及び（ｂ）は本体１の断面図を示しており、図４（ａ）及び（ｂ）は本体１を充電部４から外した際の使用態様図を示している。さらに、図５（ａ）及び（ｂ）は本体１にカバー部６を設けた場合と設けていない場合とを比較する比較図を示している。
【００１４】
つぎに、各部の構成を説明する。
【００１５】
本体１は、本照明装置の基体となるものであり、この本体１は、少なくとも下方に膨出する凸部１ａを有している。そして、本実施の形態では、凸部１ａの形状を略卵形としており、このように凸部１ａの形状を略卵形にすることによって、充電部５から本体１を取り外した場合において、本体１を床などの平面に配置するときに、本体１が重量部２の自重によって自動的に起き上がり易くしている。もちろん、凸部１ａの形状は略卵形に限られず、半球形、円筒形、楕円形、碗状等の湾曲面を有する形状であってもよい。また、本体１の上方は、図３（ａ）に示すようにダルマ形状であってもよいし、図３（ｂ）に示すように三角形状であってもよい。さらに、本体１の材質として本体１の内部が見えるように、本実施の形態では、アクリルを用いているが、その他、ＰＭＭＡ、ポリカーボネート、若しくはガラスなどの透明、又は半透明の部材であってもよい。
【００１６】
なお、本実施の形態では、本体１の上方と下方とが係脱可能に組み合わされており、これによって、重量部２や発光部３を本体１に収納する際に、本体１を分解すれば、重量部２や発光部３を本体１に容易に収納することができ、収納の作業性が向上する。もちろん、本体１の上方と下方とが一体成形されていてもよい。本体１を一体成形していると、本照明装置を製造する際の製造工程を簡略化することができる。
【００１７】
重量部２は、本体１の凸部１ａ内に収納され、その自重によって、本体１を自動的に起き上がらせる働きをするものである。この重量部２として本実施の形態では、鉄を用いている。もちろん、重量部２として、鉛などの他の金属でもよいし、その他、比重が鉄並みのものであれば何でもよい。そして、起上がりの感度をよくするために、この重量部２の形状を円盤状とし、本体１の底面ぎりぎりの位置に底面と水平に配置するのが好ましい。そして、本体１は図４（ｂ）に示すように重量部２の作用によって、水平面に対して左右に触れた場合でも、自然に水平面に対して略垂直に立つこととなる。なお、この重量部２の配置は、自重の作用を効果的に出すために、本体１の底面ぎりぎりの位置に配置するのが望ましいが、例えば、本体１の凸部１ａの体積が凸部１ａ以外の部分体積の１／５〜１／１０程度であれば、重量部２が、凸部１ａの上側部分に配置されていても、その自重によって支障なく、本体１が自動的に起き上がる場合がある。このような場合には、照明装置全体をコンパクトにするために、この重量部２を省略し、本体１の凸部１ａの上側部分であって、発光部３の近傍に配置される充電部４に重量部２の機能を持たせ、充電部４が重量部２を兼用してもよい。
【００１８】
発光部３は、本照明装置の光源となるものであり、本体１の内部に本体１の垂直方向に沿って１列、又は複数配列の発光ダイオードチップが、略等間隔に配置されている。そして、この発光部３は、本体１の内部に配置される制御集積回路ＩＣによって制御されており、本体２が充電部４から取り外された際に、蓄電部５から電力を供給されて発光する。この発光ダイオードは、発光色が、例えば、赤色、緑色、及び青色の３色からなり、この赤色、緑色、及び青色の組合せで、各発光色が混合して色調を適宜変化させることができる。本体１を照明を目的として使用する場合には、白色光となるように発光色を組み合わせるとよい。光源として発光ダイオードを用いると、消費電力が少ないために、少量の電荷により長時間発光ダイオードを点灯させることができる。もちろん、発光部３として、豆電球などの他の光源を用いて、照度を上げてもよい。また、発光ダイオードが複数配列されている場合、例えば、一列を照明の目的で用いる白色光とし、他列をシグナルとして用いる赤色光としてもよい。
【００１９】
なお、発光ダイオードに一定量の電流を供給するために定電流ダイオードを発光ダイオードに直列に接続して用いることが望ましい。その他、発光ダイオードが複数配列されている場合には、制御集積回路ＩＣによって、一列をシグナルとして点滅制御するとともに、他列を通常点灯させたり、特定部分の発光ダイオードのみを点滅制御してもよい。上述したような点灯制御を行うことによって、本照明装置の点灯モードのバリエーションが増え、使用目的の幅を広げることができる。また、制御集積回路ＩＣは、発光部３を制御するだけでなく、その他、本体１が充電部４に接続された場合には、発光部３を消灯するとともに、蓄電部５に電力を供給し、蓄電部５を充電し、さらに、本体１が充電部４から取り外された場合には、発光部３を点灯するとともに、蓄電部５への電力の供給を停止する制御も行っている。
【００２０】
充電部４は、ＡＣ／ＤＣコンバータであるアダプタ７を介して、商用交流電源ＡＣから供給された電力を、電磁誘導を利用して蓄電部５に供給するものである。アダプタ７は、例えば、１００Ｖの商用交流電圧ＡＣを４５Ｖ程度の直流電圧に変換しており、この変換された直流電圧が充電部４に入力されている。そして、充電部４は略円柱状であって、その上面には本体１の凸部１ａと係合する凹部４ａが設けられている。この凹部４ａは凸部１ａの形状に対応して略卵形や半球形、円筒形、楕円形、碗状等の湾曲面を有する形状など、種々の形状に設定される。また、充電部４の内部には、リング状の１次コイル４ｂが配置されており、この１次コイル４ｂは、本体１が充電部４に設置される際に、本体１の内部に配置されているリング状の２次コイル１ｂと電磁結合するように位置付けられる。すなわち、１次コイル４ｂと２次コイル１ｂとは、本体１が充電部４に設置される際に互いに水平面に対して略平行に配置され、いわゆる非接触方式にて、蓄電部５が蓄電される。
【００２１】
また、充電部４の内部には、本体１が充電部４に接続されたかどうかを検知する制御回路４ｃが設けられており、充電部４にアダプタ７を介した商用交流電源ＡＣからの電力が供給された場合でも、本体１が充電部４に接続されていなければ、１次コイル４ｂに電力を供給しないように制御している。
【００２２】
蓄電部５は、本体１が充電部４から取り外された場合に、発光部３を点灯させる電源となるものである。この蓄電部５は、本体１内部に収納されており、本体１が充電部４に設置された場合には、２次コイル１ｂ及び制御集積回路ＩＣを介して充電部４から供給される電力が蓄電される。本実施の形態では、この蓄電部５として、ニッケル・カドミウム電池やリチウムイオン電池などの２次電池を１個、あるいは複数個を直列に接続して用いている。
【００２３】
カバー部６は、本体１の凸部１ａよりも上側部分に略密着しながら、本体１を覆設し、本体１が充電部４に設置される際に、本体１を保持するものである。そして、このカバー部６はアクリル、ポリカーボネート、若しくはガラスなどの透明、又は半透明の部材であり、その表面は赤色、緑色、及び青色などに着色されている。また、このカバー部６は図４（ａ）に示すように、本体１に対して着脱自在となっている。さらに、このカバー部６は、図３（ａ）に示すようなダルマ形状の本体１や図３（ｂ）に示すような略三角形状の本体１と略相似形になっており、カバー部６の下側開口部の外周で構成される面積は、平面視にて充電部４の凹部４ａの面積よりも大きくなるように、カバー部６を構成する部材は数ミリ程度の厚みを持っている。つまり、図３（ｂ）あるいは図４（ａ）に示すように、断面視にてカバー部６の下側開口部の長さＬ２は、本体１の上方と下方とが分離する部分の長さＬ１、及びこのＬ２と略同じ長さである円柱状の凹部４ａの開口部の長さＬ３よりも長くなっている。
【００２４】
そして、本体１が充電部４に設置される際に、カバー部６の下側開口部の外周が充電部４の凹部４ａ以外の部分と接触し、本体１は、水平面に対して略垂直に固定される。すなわち、図５（ａ）に示すように、１次コイル４ｂと２次コイル１ｂとは水平面に対して略平行に配置されることとなり、アダプタ７から電力が供給された際には、電磁誘導により１次コイル４ｂに発生した磁束は効率的に、２次コイル１ｂに伝達され、制御集積回路ＩＣを介して充電部４に蓄電される。
【００２５】
本体１にカバー部６がない場合、図５（ｂ）に示すように、本体１が水平面に対して傾いてしまい、１次コイル４ｂと２次コイル１ｂとが平行とならない。したがって、カバー部６がない場合には、１次コイル４ｂに発生した磁束が２次コイル１ｂに効率的に伝達されないときがあるが、本実施の形態では、このようなことを防ぐことができる。
【００２６】
なお、本体１以外のもの、例えば、金属物が充電部４の凹部４ａ上に置かれたときに、制御回路４ｃでは異物を検出できず、１次コイルから発生される磁束による誘導のため、該金属物が加熱される。特に、発光部３の負荷電力によっては、充電部４を充電するために、比較的に大きな電力を要する場合があり、このような場合、上記金属物は高温となる場合がある。このため、充電部４の凹部４ａが変形するなどの問題が生じる場合がある。
【００２７】
そこで、例えば、制御回路４ｃにさらに、１次コイル４ｂに流れる電流量を検知する機能を持たせ、本体１が接続された際に流れる電流以上の電流が流れた場合に、電流経路を遮断するリレー接点、又は半導体スイッチなどのスイッチを設けてもよい。このようなスイッチを設けておくと、たとえ、金属物などが凹部４ａの上に置かれ、１次コイル４ｂに大電流が流れるようなことがあっても、スイッチが解放されるので、１次コイル４ｂによる誘導加熱を防ぐことができる。
【００２８】
以上、本実施の形態によれば、使用者が本体１の方向性を気にすることなく、本体１を充電部４に装着した場合でも、カバー部６の作用によって、１次コイル４ｂと２次コイル１ｂとは水平面に対して略平行に配置され、商用交流電源ＡＣからの電力を効率的に充電部４に蓄電することができる。
【００２９】
また、本体１を充電部４から取り外し、本体１を平面上に倒して配置した場合でも、本体１の凸部１ａは、断面視にて略卵形であり、また、本体１の重心が下方にあるので、本体１は、自動的に平面に対して略垂直に起き上がることができる。
【図面の簡単な説明】
【００３０】
【図１】本実施の形態を示す外観図である。
【図２】本実施の形態を示す電気配線図である。
【図３】本体１の断面図である。
【図４】本体１を充電部４から外した際の使用態様を示す図である。
【図５】本体１にカバー部６を設けた場合と設けていない場合とを比較する比較図である。
【図６】従来例を示す外観図である。
【符号の説明】
【００３１】
１        本体
１ａ      凸部
２        重量部
３        発光部
４        充電部
４ａ      凹部
５        蓄電部
６        カバー部
【図１】
2005235599.tif 000003
【図２】
2005235599.tif 000004
【図３】
2005235599.tif 000005
【図４】
2005235599.tif 000006
【図５】
2005235599.tif 000007
【図６】
2005235599.tif 000008